(57)【特許請求の範囲】
【請求項１】
複数の円板状の情報記録媒体を重ねて収納する情報記録媒体用カートリッジであって、
前記情報記録媒体を出し入れする開口部と、
前記開口部をスライドして開閉するスライド式扉と、
前記スライド式扉の内側に回転軸を介して取り付けられ、前記スライド式扉と反対側が情報記録媒体規制平面となっており、シーソー式に可倒な可倒式リブとを備え、
前記可倒式リブは、前記スライド式扉が閉じた状態において前記スライド式扉と反対方向に倒れ、前記可倒式リブの情報記録媒体規制平面が該情報記録媒体用カートリッジ内部に収納された前記情報記録媒体の端面の位置を規制することを特徴とする情報記録媒体用カートリッジ。
【請求項２】
前記スライド式扉が閉じた状態において、前記可倒式リブの前記回転軸より上の部分が該情報記録媒体用カートリッジの開口部の上端に当接することにより、前記可倒式リブの情報記録媒体規制平面は、該情報記録媒体用カートリッジ内に収納された前記円板状情報記録媒体の重なり方向と平行になることを特徴とする請求項１記載の情報記録媒体用カートリッジ。
【請求項３】
前記スライド式扉が閉じていない状態において、前記可倒式リブの前記回転軸より下の部分は、前記スライド式扉の方に倒れ、前記情報記録媒体規制平面は、前記スライド式扉が閉じる方向にいくにつれて、前記スライド式扉の方に傾斜することを特徴とする請求項１又は２に記載の情報記録媒体用カートリッジ。
【請求項４】
前記可倒式リブの前記回転軸より上の部分と前記スライド式扉との間にはバネが配置され、前記スライド式扉が閉じていない状態において、前記可倒式リブの前記回転軸より下の部分は、前記バネの力により前記スライド式扉の方に倒れることを特徴とする請求項３記載の情報記録媒体用カートリッジ。
【請求項５】
前記情報記録媒体は、カバー付きトレイに収納された状態で該情報記録媒体用カートリッジに収納されることを特徴とする請求項１乃至４のいずれか１項に記載の情報記録媒体用カートリッジ。
【発明の詳細な説明】
【技術分野】
【０００１】
本発明は、情報記録媒体を収納する情報記録媒体用カートリッジに関する。
【背景技術】
【０００２】
近年、コンピュータ用情報のみならず、音声や静止画像、動画像などの情報を保存するための記録媒体として光情報記録媒体が実用化されている。光情報記録媒体は、更なる高密度化や高速転送化に向け開発が進められているが、同時に、記録再生を行う情報記録再生装置の将来的な形としての薄型化や小型化、あるいは媒体収納時の軽量小型化等を見据えると、光情報記録媒体自体の厚みはより薄いほうが望ましく、その実現を狙って超薄型光情報記録媒体の開発が進められている。
【０００３】
特許文献１には、このような薄型情報記録媒体を用いることによってカートリッジに収納する枚数を多くし、単位体積あたりの記録容量を上げることが記載されている。
【０００４】
このような薄型情報記録媒体をカートリッジに収納する際、引き出しタブを有する薄いトレイに搭載し、さらにそれを複数枚積層してカートリッジの内部に納めることが提案されている。このようにして薄型情報記録媒体を収納したカートリッジを、情報記録再生装置に装着する。記録再生時は、カートリッジから目的の薄型情報記録媒体が搭載されたトレイを引き出し、そのトレイ上にある目的の薄型情報記録媒体を情報記録再生装置内のドライブ部まで移動して装着させて、記録や再生が行われる。
【０００５】
【特許文献１】特開２００５−１７４５１５号公報
【発明の開示】
【発明が解決しようとする課題】
【０００６】
ところが、輸送や保管の目的で情報記録再生装置装置からカートリッジを取り出し、斜めに傾けたり、卓上に置いたり、回したり、あるいは落としたり投げたり、また、車両や台車等に載せて移動させたりすることによって、カートリッジに外力や振動が加えられると、カートリッジ内部のトレイに載せただけの薄型情報記録媒体は、カートリッジ内部の側面壁や蓋壁面までのクリアランスの範囲内でトレイ上を自由に移動してしまう。
【０００７】
したがって、カートリッジ内部の寸法は、できるだけ薄型情報記録媒体とのクリアランスを少なくし、トレイ上の薄型情報記録媒体が移動しないようにするようにすることが望ましい。
【０００８】
しかしながら、トレイにはカートリッジ開口部の方向においてカートリッジから引き出すための引き出し用タブが設けてあるために、カートリッジの蓋壁面を薄型情報記録媒体に近接させることができない。また、トレイの開口部はトレイの出し入れが行われるため、薄型情報記録媒体の位置を規制するシャフト等を設けることも出来ない。そのため、最悪の場合には、薄型情報記録媒体が引き出しタブ方向にはみ出す程大きく動いてしまう。しかも、その移動の方向や量は一定ではなく、複数枚収納された薄型情報記録媒体の個々についての移動状態を把握するのは非常に困難である。
【０００９】
そして、トレイ上の所定の位置からずれてしまった状態の薄型情報記録媒体をハンドリングしようとすると、薄型情報記録媒体の中心に設けられた装着用のセンターホールと、情報記録再生装置のドライブ部のチャック機構のスピンドルセンタとがずれてしまうため、薄型情報記録媒体は情報記録再生装置のドライブ部に正しい状態で装着されず、最悪の場合、噛み込みが起きて薄型情報記録媒体や情報記録再生装置本体が破損する恐れがある。
【００１０】
このようなトレイ上の薄型情報記録媒体の位置ずれを回避する方法として、薄型情報記録媒体の外周にあわせてトレイ上にリブを設けたり、薄型情報記録媒体が収まる窪みをトレイに設けるなどの方法が考えられるが、その場合、リブの高さあるいは窪みの深さをある程度の寸法にする必要があり、折角情報記録媒体を薄型化してもトレイの厚みが増してしまうため、カートリッジに収納できる薄型情報記録媒体の枚数が減ることに繋がる。さらに、そのような凹凸を設けた形状は、トレイの摺動時に他のトレイや薄型情報記録媒体と当たりが生じるため好ましくなく、トレイは極力平面に近い形状にすることが望ましい。
【００１１】
また、カートリッジの蓋の裏側に、トレイの引き出しタブの間を通るような位置にリブを設け、薄型情報記録媒体の端面にリブを近接させることで薄型情報記録媒体が引き出しタブ方向に移動することを規制する方法も考えられている。
【００１２】
スライド式の扉にこのようなリブを設ける場合、扉が閉まる時に、トレイ側に設けられたリブが、外力で飛び出したトレイや薄型情報記録媒体を、スライドしながら噛み込んでしまうおそれがある。
【００１３】
丁番で一端が固定され回転する扉式の蓋にこのようなリブを設ける場合、スライド式扉の場合のようなトレイや薄型情報記録媒体の噛み込みのおそれはなくなるが、蓋が開くために必要な情報記録再生装置内の空間が大きくなってしまい、情報記録再生装置が大型化してしまうという問題がある。
【００１４】
また、その他の方法としては、距離検出センサーなどで薄型情報記録媒体のずれ量を検知してアクチュエータやソレノイドを使ってその位置ずれを補正する方法も考えられるが、このような方法を実現するためには複雑な機構が必要となり、カートリッジにそのような機構を組み込むことは、構造や価格の面から考えて現実的ではなく、仮に実現させてもかなり大掛かりで複雑なカートリッジになるため、量産して製品化することは困難である。
【００１５】
上述したことを鑑み、本発明は、上記問題を解決し、移動や保管の際の振動などで内部に収納された薄型情報記録媒体が位置ずれしない情報記録媒体用カートリッジを提供する。
【課題を解決するための手段】
【００１６】
上記課題を解決するために、本発明の情報記録媒体用カートリッジは、前記情報記録媒体を出し入れする開口部と、前記開口部をスライドして開閉するスライド式扉と、前記スライド式扉の内側に回転軸を介して取り付けられ、前記スライド式扉と反対側が情報記録媒体規制平面となっており、シーソー式に可倒な可倒式リブとを備え、前記可倒式リブは、前記スライド式扉が閉じた状態において前記スライド式扉と反対方向に倒れ、前記可倒式リブの情報記録媒体規制平面が該情報記録媒体用カートリッジ内部に収納された前記情報記録媒体の端面の位置を規制することを特徴とする。このようにすれば、スライド式扉を閉めるだけで可倒式リブが収納された情報記録媒体の位置を揃え、かつ、その状態で情報記録媒体の位置ずれを防ぐことができる。
【００１７】
収納されたすべての情報記録媒体の端面を一様に揃えるには、前記スライド式扉が閉じた状態において、前記可倒式リブの前記回転軸より上の部分が該情報記録媒体用カートリッジの開口部の上端に当接することにより、前記可倒式リブの情報記録媒体規制平面は、該情報記録媒体用カートリッジ内に収納された前記円板状情報記録媒体の重なり方向と平行になるようにすることが好適である。
【００１８】
開口部方向に飛び出した情報記録媒体の噛み込みを防ぐためには、前記スライド式扉が閉じていない状態において、前記可倒式リブの前記回転軸より下の部分は、前記スライド式扉の方に倒れ、前記情報記録媒体規制平面は、前記スライド式扉が閉じる方向にいくにつれて、前記スライド式扉の方に傾斜することが好適である。
【００１９】
また、そのようにするためには、前記可倒式リブの前記回転軸より上の部分と前記スライド式扉との間にはバネが配置され、前記スライド式扉が閉じていない状態において、前記可倒式リブの前記回転軸より下の部分は、前記バネの力により前記スライド式扉の方に倒れるようにすればよい。
【００２０】
前記情報記録媒体は、カバー付きトレイに収納された状態で該情報記録媒体用カートリッジに収納されてもよい。このようにすれば、単体では取扱が困難な超薄型情報記録媒体にも適用することができる。
【発明の効果】
【００２１】
本発明の情報記録媒体用カートリッジによれば、移動や保管などによる振動などで内部に収納された薄型情報記録媒体が位置ずれしないようにすることができる。
【発明を実施するための最良の形態】
【００２２】
本発明の情報記録媒体用カートリッジの実施の形態を説明する前に、従来の情報記録媒体用カートリッジとその問題点について説明する。
【００２３】
図１は、第１の具体例の情報記録媒体用カートリッジの構造を示す斜視図である。分かりやすくするために、情報記録媒体用カートリッジの右奥上部の一部が欠けた状態で示す。薄型情報記録媒体２１はカバー付きトレイ２２に収納される。薄型情報記録媒体２１を収納した状態のトレイ２２は複数枚積層され、開口部２３からカートリッジ本体２４の中に収納される。
【００２４】
カバー付きトレイ２２のカバーとトレイを接合させた部分には、切り込み２５が設けてある。切り込み２５の先端から、カバー付きトレイ２２のカバーとトレイを接合させた部分と反対側の端面までの寸法は、薄型情報記録媒体２１の外径と同等もしくは若干大きい寸法になっている。さらに、それらと９０度方向の両側辺、すなわちトレイの側端面同士の寸法すなわちトレイの幅も、薄型情報記録媒体２１の外径と同等もしくは若干大きい寸法になっている。
【００２５】
このトレイ２２に薄型情報記録媒体２１を収納した状態で、前記したトレイ２２の切り込み２５の先端と３つの端面に対して他の部材の面や辺を突き当てることにより、トレイ２２に収納された薄型情報記録媒体２１が移動できる範囲を規制することが出来る。その範囲は、前記４箇所の向かい合う２対間の距離と薄型情報記録媒体２１の外周寸法とが全く同寸の場合は移動範囲がゼロになり、前記２対間の距離が大きくなる分だけ移動範囲が増す。この移動範囲量は、情報記録再生装置の回転部分に設けられ、薄型情報記録媒体２１をセットする機構（図示せず）が正確にセットできる許容範囲を超えない程度が理想的な寸法となる。
【００２６】
カートリッジ本体２４の内部の奥の壁面又は壁面近くには、リブ又はシャフト２６が設けられている。リブ又はシャフト２６は、カートリッジ本体２４に収納されたトレイ２２の切り込み２５に合致するようになっている。一方、カートリッジ本体２４の内部両側面間の寸法は、トレイ２２の幅と同寸、もしくは、薄型情報記録媒体２１の移動範囲量が上述した許容範囲以下となるような寸法になっている。このカートリッジ本体２４の中に完全にトレイ２２が収納された状態では、リブ又はシャフト２６と、カートリッジ本体２４の内部両側面との３方向からの規制で、薄型情報記録媒体２１は振動などの外力を受けても奥や両側面に移動することが出来ないため、これらの方向への位置ずれを防止することができる。
【００２７】
カートリッジ本体２４には、開口部２３を開閉する丁番式扉２７が設けられている。そして、情報記録再生装置において記録再生を行う時には、丁番式扉２７を開き、トレイ２２のタブ２８をクランプして引き出す機構（図示せず）などを用いて、カートリッジ本体２４の開口部２３から所望の薄型情報記録媒体２１を収納したカバー付きトレイ２２を引き出し、カバーを剥離して情報記録媒体２１を取り出し、光ヘッドのスピンドルターンテーブルにセットして回転させて記録再生を行う。
【００２８】
さらに、丁番式扉２７には、図に示すようにリブ２９が設けてある。丁番式扉２７が閉まると、リブ２９は、トレイ２２のカバー開口方向にあるタブ２８の間に合致するようになっている。丁番式扉２７が閉まる際、リブ２９は、カートリッジ本体２４内の開口部２３方向に飛び出しているトレイ２２の端面を押し、これによりカートリッジ本体２４内のトレイ２２の位置が揃えられる。
【００２９】
したがって、カートリッジ本体２４に収納された薄型情報記録媒体２１は、リブ又はシャフト２６と、カートリッジ本体２４の内部両側面との３方向からの規制に加え、リブ２９によって開口部２３方向からも規制され、４方向から薄型情報記録媒体２１のずれを防ぐことが出来る。
【００３０】
しかしながら、このような第１の具体例のような情報記録媒体用カートリッジでは、丁番式扉を開閉するためにカートリッジの前方及び上方に大きな空間を必要とするという問題があった。
【００３１】
第２の具体例は、スライド式扉を備える情報記録媒体用カートリッジである。図２は、このような第２の具体例の情報記録媒体用カートリッジのスライド式扉を除いた部分を示す斜視図である。分かりやすくするために、情報記録媒体用カートリッジの右奥上部の一部が欠けた状態で示す。薄型情報記録媒体３１はカバー付きトレイ３２に収納される。薄型情報記録媒体３１を収納した状態のトレイ３２は複数枚積層され、開口部３３からカートリッジ本体３４の中に収納される。
【００３２】
カバー付きトレイ３２のカバーとトレイを接合させた部分には、切り込み３５が設けてある。切り込み３５の先端から、カバー付きトレイ３２のカバーとトレイを接合させた部分と反対側の端面までの寸法は、薄型情報記録媒体３１の外径と同等もしくは若干大きい寸法になっている。さらに、それらと９０度方向の両側辺、すなわちトレイの側端面同士の寸法すなわちトレイの幅も、薄型情報記録媒体３１の外径と同等もしくは若干大きい寸法になっている。
【００３３】
このトレイ３２に薄型情報記録媒体３１を収納した状態で、前記したトレイ３２の切り込み３５の先端と３つの端面に対して他の部材の面や辺を突き当てることにより、トレイ３２に収納された薄型情報記録媒体３１が移動できる範囲を規制することが出来る。その範囲は、前記４箇所の向かい合う２対間の距離と薄型情報記録媒体３１の外周寸法とが全く同寸の場合は移動範囲がゼロになり、前記２対間の距離が大きくなる分だけ移動範囲が増す。この移動範囲量は、情報記録再生装置の回転部分に設けられ、薄型情報記録媒体３１をセットする機構（図示せず）が正確にセットできる許容範囲を超えない程度が理想的な寸法となる。
【００３４】
カートリッジ本体３４の内部の奥の壁面又は壁面近くには、リブ又はシャフト３６が設けられている。リブ又はシャフト３６は、カートリッジ本体３４に収納されたトレイ３２の切り込み３５に合致するようになっている。一方、カートリッジ本体３４の内部両側面間の寸法は、トレイ３２の幅と同寸、もしくは、薄型情報記録媒体３１の移動範囲量が上述した許容範囲以下となるような寸法になっている。このカートリッジ本体３４の中に完全にトレイ３２が収納された状態では、リブ又はシャフト３６と、カートリッジ本体３４の内部両側面との３方向からの規制で、薄型情報記録媒体３１は振動などの外力を受けても奥や両側面に移動することが出来ないため、これらの方向への位置ずれを防止することができる。
【００３５】
図３は、第２の具体例の情報記録媒体用カートリッジのスライド式扉を含む斜視図である。カートリッジ本体３４の開口部３３付近の側部内側に設けられた溝３７には、スライド式扉３８の凸部３９がスライド可能に嵌合し、スライド式扉３８は、スライドしてカートリッジ本体３４の開口部３３を開閉する。情報記録再生装置において記録再生を行う時には、スライド式扉３８を開き、トレイ３２のタブ４０をクランプして引き出す機構（図示せず）などを用いて、カートリッジ本体３４の開口部３３から所望の薄型情報記録媒体３１を収納したカバー付きトレイ３２を引き出し、カバーを剥離して薄型情報記録媒体３１を取り出し、光ヘッドのスピンドルターンテーブルにセットして回転させて記録再生を行う。
【００３６】
スライド式扉３８には、リブ４１が設けられている。リブ４１は、スライド式扉３８がカートリッジ本体３４の開口部３３を閉じた状態において、トレイ３２のタブ４０の間を通り、トレイ３２の端面に当たるように配置されている。スライド式扉３８が閉まることにより、カートリッジ本体３４内の開口部３３方向に飛び出しているトレイ３２の端面はリブ４１によって押されてゆき、これによりカートリッジ本体３４内のトレイ３２の位置が揃えられる。
【００３７】
このような第２の具体例のような情報記録媒体用カートリッジでは、スライド式扉を用いているため、カートリッジの上方にのみ扉の開閉のための空間があればよい。
【００３８】
しかしながら、このような第２の具体例のような情報記録媒体用カートリッジでは、図４の断面図に示すように、トレイ３２が不規則に大きくカートリッジ開口部３３方向に飛び出ていた場合には、スライド式扉３８が閉まる動作によって、リブ４１とトレイ３２が衝突してしまう。図４に示すように、リブ４１の下端はトレイ３２との衝突を回避させる目的で若干のアールもしくは面取りが施されているが、このようなアールもしくは面取りの形状が大き過ぎると最下層のトレイ３２の位置を規制できなくなるので、あまり大きくはできない。そのため、大きく飛び出たトレイ３２があると、リブ４１のアールや面取りに従えてカートリッジ本体３４の奥に押し戻すことが出来ず、トレイ３２の端部を上から押し付け、ついには押し曲げてしまう。こうなると、スライド式扉３８は、トレイ３２を噛みこんだ場所よりも下がらず、最悪の場合、情報記録媒体３１の外周付近を傷めるおそれもある。
【００３９】
本発明は、上述したような具体例の情報記録媒体用カートリッジの問題を解決する。以下、図面を参照して本発明の実施の形態を詳細に説明する。
【００４０】
本発明の情報記録媒体用カートリッジは、円板状の薄型情報記録媒体を収納するものであり、可倒式リブを持つスライド式扉を備える。図５は、このような本発明の情報記録媒体用カートリッジのスライド式扉を除いた部分を示す斜視図である。分かりやすくするために、情報記録媒体用カートリッジの右奥上部の一部が欠けた状態で示す。薄型情報記録媒体１はカバー付きトレイ２に収納される。薄型情報記録媒体１を収納した状態のトレイ２は複数枚積層され、開口部３からカートリッジ本体４の中に収納される。
【００４１】
カバー付きトレイ２のカバーとトレイを接合させた部分には、切り込み５が設けてある。切り込み５の先端から、カバー付きトレイ２のカバーとトレイを接合させた部分と反対側の端面までの寸法は、薄型情報記録媒体１の外径と同等もしくは若干大きい寸法になっている。さらに、それらと９０度方向の両側辺、すなわちトレイの側端面同士の寸法すなわちトレイの幅も、薄型情報記録媒体１の外径と同等もしくは若干大きい寸法になっている。
【００４２】
このトレイ２に薄型情報記録媒体１を収納した状態で、前記したトレイ２の切り込み５の先端と３つの端面に対して他の部材の面や辺を突き当てることにより、トレイ２に収納された薄型情報記録媒体１が移動できる範囲を規制することが出来る。その範囲は、前記４箇所の向かい合う２対間の距離と薄型情報記録媒体１の外周寸法とが全く同寸の場合は移動範囲がゼロになり、前記２対間の距離が大きくなる分だけ移動範囲が増す。この移動範囲量は、情報記録再生装置の回転部分に設けられ、薄型情報記録媒体１をセットする機構（図示せず）が正確にセットできる許容範囲を超えない程度が理想的な寸法となる。
【００４３】
カートリッジ本体４の内部の奥の壁面又は壁面近くには、リブ又はシャフト６が設けられている。リブ又はシャフト６は、カートリッジ本体４に収納されたトレイ２の切り込み５に合致するようになっている。一方、カートリッジ本体４の内部両側面間の寸法は、トレイ２の幅と同寸、もしくは、薄型情報記録媒体１の移動範囲量が上述した許容範囲以下となるような寸法になっている。このカートリッジ本体４の中に完全にトレイ２が収納された状態では、リブ又はシャフト６と、カートリッジ本体４の内部両側面との３方向からの規制で、薄型情報記録媒体１は振動などの外力を受けても奥や両側面に移動することが出来ないため、これらの方向への位置ずれを防止することができる。
【００４４】
図６は、本発明の情報記録媒体用カートリッジのスライド式扉を含む斜視図である。カートリッジ本体４の開口部３付近の側部内側に設けられた溝７には、スライド式扉８の凸部９がスライド可能に嵌合し、スライド式扉８は、スライドしてカートリッジ本体４の開口部３を開閉する。情報記録再生装置において記録再生を行う時には、スライド式扉８を開き、トレイ２のタブ１０をクランプして引き出す機構（図示せず）などを用いて、カートリッジ本体４の開口部３から所望の薄型情報記録媒体１を収納したカバー付きトレイ２を引き出し、カバーを剥離して薄型情報記録媒体１を取り出し、光ヘッドのスピンドルターンテーブルにセットして回転させて記録再生を行う。
【００４５】
カートリッジ４の開口部に嵌るスライド式扉８には、支点によってシーソーのように可倒する可倒式リブ１１が設けられている。
【００４６】
図７は、本発明の薄型情報記録媒体用カートリッジにおける可倒式リブの動作を説明する断面図である。可倒式リブ１１は、回転軸１２を介してスライド式扉８に取り付けられており、回転軸１２を支点としてシーソー式に２方向に倒れるようになっている。
【００４７】
可倒式リブ１１の回転軸１２より上方において、可倒式リブ１１とスライド式扉８との間には、バネ１３が配置されている。図５の上部に示すようなスライド式扉８が開いている状態において、可倒式リブ１１の下方部分は、バネ１３が伸びようとする力によって、スライド式扉８に押し付けられている。この状態では、可倒式リブ１１の下方部分のトレイ２の端面と対向する側の面（情報記録媒体規制平面）は、下方に向かうにつれてカートリッジ本体４に収納されたトレイ２の端面から離れるように傾斜している。したがって、スライド式扉８を閉じていく際、トレイ２が不規則に大きくカートリッジ開口部３の方向に飛び出ていた場合でも、可倒式リブ１１の下端はトレイ２に衝突せず、可倒式リブ１１のトレイ２の端面に面している側の傾斜面がトレイ２に当たるため、トレイ２が押し曲げられることがない。
【００４８】
スライド式扉８を閉じていくと、可倒式リブ１１の上方部分がカートリッジ本体４の上端部に当たる。さらにスライド式扉８を閉じていくと、可倒式リブ１１の上方部分はカートリッジ本体４の上端部によりスライド式扉８の方に押され、これによってバネ１３は縮み、可倒式リブ１１は回転軸１２を中心に回転し、可倒式リブ１１の下方部分はスライド式扉８と反対方向に移動する。スライド式扉８が閉じきった状態で、可倒式リブ１１の下方部分の情報記録媒体規制平面は、トレイ２の重なり方向と平行になる。可倒式リブ１１の幅及び配置は、スライド式扉８が閉じた状態において、カートリッジ本体４に収納されたトレイ２のタブ１０の間を通り、トレイ２の端面に接触するように設定される。したがって、カートリッジ本体４内部のすべてのトレイ２の端面は、可倒式リブ１１の下方部分の面によって一様に押され、カートリッジ本体４内のすべてのトレイ２の位置が揃えられる。
【００４９】
以上説明したように、本発明の情報記録媒体用カートリッジは、情報記録媒体の位置を有効に揃える機構を備える。また、このような機構は、機能的であるにも係わらず、きわめて簡単な成功であるため、信頼性も高く、安価に製造することができる。また、特別に電気的な機構を用いていないため、停電等の影響を受けない。結果として、記録再生装置における情報記録媒体のチャッキングの安定性を向上させることができる。
【産業上の利用可能性】
【００５０】
本発明は、情報記録媒体用カートリッジに利用可能である。
【図面の簡単な説明】
【００５１】
【図１】第１の具体例の情報記録媒体用カートリッジの構造を示す斜視図である。
【図２】第２の具体例の情報記録媒体用カートリッジのスライド式扉を除いた部分を示す斜視図である。
【図３】第２の具体例の情報記録媒体用カートリッジのスライド式扉を含む斜視図である。
【図４】第２の具体例の情報記録媒体用カートリッジの問題点を説明する断面図である。
【図５】本発明の情報記録媒体用カートリッジのスライド式扉を除いた部分を示す斜視図である。
【図６】本発明の情報記録媒体用カートリッジのスライド式扉を含む斜視図である。
【図７】本発明の薄型情報記録媒体用カートリッジにおける可倒式リブの動作を説明する断面図である。
【符号の説明】
【００５２】
１、２１、３１  薄型情報記録媒体
２、２２、３２  トレイ
３、２３、３３  開口部
４、２４、３４  カートリッジ本体
５、２５、３５  切り込み
６、２６、３６  シャフト
７、３７  溝
８、３８  スライド式扉
９、３９  凸部
１０、２８、４０  タブ
１１  可倒式リブ
１２  回転軸
１３  バネ
２７  丁番式扉
２９、４１  リブ
【図１】
0004812732.tif 000002
【図２】
0004812732.tif 000003
【図３】
0004812732.tif 000004
【図４】
0004812732.tif 000005
【図５】
0004812732.tif 000006
【図６】
0004812732.tif 000007
【図７】
0004812732.tif 000008